(57)【要約】【課題】照明装置の構造の複雑化を抑制できるとともに、環境温度の差に起因する照明光のばらつきを低減することのできる照明装置を提供する。【解決手段】本発明の照明装置１００は、複数の光源１１１〜１１６が点灯状態にあるときに相対的に高温となる第１の発光領域１１Ｘと、相対的に低温となる第２の発光領域１１Ｙとを有し、第１の発光領域には複数の第１の光源１１１，１１２が配置され、第２の発光領域には複数の第２の光源１１３〜１１６が配置され、第１の光源の放出光を主として受光する第１の光検出器１３１と、第２の光源の放出光を主として受光する第２の光検出器１３２とを含み、光源制御手段１４０は、複数の第１の光源を第１の光検出器の出力に基づいて一括して制御し、複数の第２の光源を第２の光検出器の出力に基づいて一括して制御することを特徴とする。【選択図】図１
2007317479.tif 000002
【特許請求の範囲】
【請求項１】
複数の光源と、該複数の光源の放出光を光入射面から導入して光出射面より出射させる
導光体と、前記導光体の表面に対向配置された複数の光検出器と、該複数の光検出器の出
力に基づいて前記光源の発光態様を制御可能に構成された光源制御手段と、を具備する照
明装置において、
前記複数の光源が点灯状態にあるときに相対的に高温となる第１の発光領域と、相対的
に低温となる第２の発光領域とを有し、前記第１の発光領域には複数の第１の前記光源が
配置され、前記第２の発光領域には複数の第２の前記光源が配置され、
前記第１の光源の前記放出光を主として受光する第１の前記光検出器と、前記第２の光
源の前記放出光を主として受光する第２の前記光検出器とを含み、
前記光源制御手段は、複数の前記第１の光源を前記第１の光検出器の出力に基づいて一
括して制御し、複数の前記第２の光源を前記第２の光検出器の出力に基づいて一括して制
御することを特徴とする照明装置。
【請求項２】
前記複数の光源は一列に配列され、前記第１の発光領域は前記複数の光源の列中央部に
設けられ、前記第２の発光領域は前記複数の光源の列端部に設けられていることを特徴と
する請求項１に記載の照明装置。
【請求項３】
前記光源制御手段は前記光検出器の出力に基づいて前記光源の前記放出光の色度を制御
することを特徴とする請求項１又は２に記載の照明装置。
【請求項４】
前記第１の光検出器は、前記導光体における前記光入射面の光進行側にある反対面に対
して、前記第１の発光領域の光進行側にある第１の検出領域において対向配置され、前記
第２の光検出器は、前記反対面に対して、前記第２の発光領域の光進行側にある第２の検
出領域において対向配置されていることを特徴とする請求項１乃至３のいずれか一項に記
載の照明装置。
【請求項５】
請求項１乃至４のいずれか一項に記載の照明装置と、当該照明装置の光出射側に配置さ
れ、前記照明装置の照明光に基づいて機能する電気光学パネルと、を具備することを特徴
とする電気光学装置。
【請求項６】
請求項５に記載の電気光学装置を搭載したことを特徴とする電子機器。
【請求項７】
前記複数の光源は表示部の左右方向に沿って配列されていることを特徴とする請求項６
に記載の電子機器。
【発明の詳細な説明】
【技術分野】
【０００１】
本発明は照明装置、電気光学装置及び電子機器に係り、特に、光検出器の検出値に応じ
て光源の発光態様を制御する機能を備えた照明装置の構成に関する。
【背景技術】
【０００２】
一般に、ＬＥＤ等の光源から放出された光を導光板に入射させ、導光板の内部を伝播さ
せた後、導光板の光出射面から出射させるように構成された照明装置が知られている。こ
のような照明装置は、例えば、液晶パネルを照明するためのバックライトなどの面状照明
装置として利用されている。
【０００３】
上記のような照明装置においては、光出射面内の光の輝度の均一性を確保すること、及
び、出射光のホワイトバランスを確保することが要求されるところ、光源にはそれぞれの
輝度や色度のばらつきが存在することから、複数の光源を配置する場合には輝度や色度の
ばらつきを有する各光源の組み合わせによって照明光のばらつき範囲がさらに拡大する可
能性があるため、導光板の周囲や光出射側に配置した光検出器によって輝度や色調を検出
し、この検出値に応じて光源の輝度や色調をフィードバック制御することが提案されてい
る（例えば、以下の特許文献１乃至３参照）。
【特許文献１】特開２００５−９１５２６号公報
【特許文献２】特開２００４−１９９９６８号公報
【特許文献３】特開２００５−７０１３２号公報
【発明の開示】
【発明が解決しようとする課題】
【０００４】
ところで、前述の特許文献１には複数の光源の輝度を複数の光検出器を設けることで個
別に制御する方法が記載されているが、光源の輝度を個別に制御すると光検出器の数が増
大するとともに制御回路が複雑になり、特に多数の光源を配列させてなる照明装置では大
幅に製造コストが増大するといった問題点がある。
【０００５】
また、上記特許文献３に記載の装置では、表示セルに入射する光を検出するために、表
示セルの一方の基板面に光検出器を対応配置するようにしているため、照明装置単体で構
成することができず、表示セルの構造や配線の取り回しが複雑になることから、やはり製
造コストが増大するという問題点がある。
【０００６】
さらに、多数の光源を配列させてなる照明装置では、光源から発せられる熱によって光
源の配列位置に応じた環境温度の差が大きくなり、これによって光源の輝度や色度が変化
するため、照明装置の照明光の面内のばらつきが大きくなるという問題点がある。
【０００７】
そこで、本発明は上記問題点を解決するものであり、照明装置の構造の複雑化を抑制で
きるとともに、環境温度の差に起因する照明光のばらつきを低減することのできる照明装
置、並びに、これを含む電気光学装置を提供することにある。
【課題を解決するための手段】
【０００８】
斯かる実情に鑑み、本発明の照明装置は、複数の光源と、該複数の光源の放出光を光入
射面から導入して光出射面より出射させる導光体と、前記導光体の表面に対向配置された
複数の光検出器と、該複数の光検出器の出力に基づいて前記光源の発光態様を制御可能に
構成された光源制御手段と、を具備する照明装置において、前記複数の光源が点灯状態に
あるときに相対的に高温となる第１の発光領域と、相対的に低温となる第２の発光領域と
を有し、前記第１の発光領域には複数の第１の前記光源が配置され、前記第２の発光領域
には複数の第２の前記光源が配置され、前記第１の光源の前記放出光を主として受光する
第１の前記光検出器と、前記第２の光源の前記放出光を主として受光する第２の前記光検
出器とを含み、前記光源制御手段は、複数の前記第１の光源を前記第１の光検出器の出力
に基づいて一括して制御し、複数の前記第２の光源を前記第２の光検出器の出力に基づい
て一括して制御することを特徴とする。
【０００９】
この発明によれば、複数の光源が点灯状態にあるときの温度の高低により第１の発光領
域と第２の発光領域とに分けた場合に、複数の光源のうち第１の発光領域に配置される第
１の光源の放出光を主として受光する第１の光検出器の出力に基づいて第１の光源を制御
し、第２の発光領域に配置される第２の光源の放出光を主として受光する第２の光検出器
の出力に基づいて第２の光源を制御することで、温度の高低による光源の発光特性の変化
に起因して生ずる、光出射面から出射される照明光の面内ばらつきを低減することが可能
になる。また、第１の発光領域及び第２の発光領域にそれぞれ複数の第１の光源及び第２
の光源が配置されていることにより、多数の光源が配列されている場合でも制御構成を簡
易化することができ、製造コストも低減できる。
【００１０】
本発明において、前記複数の光源は一列に配列され、前記第１の発光領域は前記複数の
光源の列中央部に設けられ、前記第２の発光領域は前記複数の光源の列端部に設けられて
いることが好ましい。このように複数の光源が一列に配列されていると、複数の光源の配
列において列中央部は高温となり、列端部は相対的に低温となる。したがって、列中央部
に配置された第１の光源と、列端部に配置された第２の光源とをそれぞれ対応する第１の
光検出器と第２の光検出器の検出値で制御することにより、温度環境に起因する光源の発
光特性のばらつきを低減できる。
【００１１】
本発明において、前記光源制御手段は、前記光検出器の出力に基づいて前記光源の前記
放出光の色度を制御することが好ましい。これによれば、温度環境に起因する光源の色度
のばらつきを低減することができ、これにより照明光の色度、例えば、ホワイトバランス
を簡易に制御することができる。特に、上記の光源として、異なる色相の放出光を発する
複数種のＬＥＤ（発光ダイオード）を含むものを用いる場合にはきわめて有効である。こ
れは、ＬＥＤの種類（放出光のスペクトル）によって発光輝度の温度依存性が大きく異な
るため、温度環境が変わることによって照明光の色度が大きく変化するとともに、ＬＥＤ
の発光輝度の経時変化もＬＥＤの種類によって大きく異なり、この経時変化は温度環境が
変わることでさらにばらつきを生じやすくなるからである。
【００１２】
本発明において、前記第１の光検出器は、前記導光体における前記光入射面の光進行側
にある反対面に対して、前記第１の発光領域の光進行側にある第１の検出領域において対
向配置され、前記第２の光検出器は、前記反対面に対して、前記第２の発光領域の光進行
側にある第２の検出領域において対向配置されていることが好ましい。これによれば、第
１及び第２の光検出器が導光体の光入射面の光進行側（放出光が導光体の内部を伝播して
いく主方向側）の反対面にそれぞれ対向するように配置され、かつ、第１の光検出器が第
１の発光領域の光進路側にある第１の検出領域に配置され、第２の光検出器が第２の発光
領域の光進路側にある第２の検出領域に配置されることにより、第１の光源の放出光を効
率的に第１の光検出器で受光することができ、第２の光源の放出光を効率的に第２の光検
出器で受光することができるので、温度環境に起因する光源の発光特性のばらつきをより
感度よく検出できる。
【００１３】
次に、本発明の電気光学装置は、上記のいずれかに記載の照明装置と、当該照明装置の
光出射側に配置され、前記照明装置の照明光に基づいて機能する電気光学パネルと、を具
備することを特徴とする。上記の照明装置では光源の発光特性のばらつきを低減できるた
め、良好な表示を再現性よく得ることが可能になる。
【００１４】
また、本発明の電子機器は、上記の電気光学装置を搭載したことを特徴とする。このよ
うな電子機器としては、例えば、テレビジョン受像機、ビデオモニタ装置、携帯用コンピ
ュータ装置、携帯電話、電子時計などが挙げられるが、特に、車載用モニタ装置などのよ
うな５インチ以上の中型若しくは大型の表示画面を備えた機器に搭載することが好ましい
。この場合に、前記複数の光源は表示部の左右方向に沿って配列されていることが好まし
い。一般にモニタ装置などでは横長画面を有する場合が多いことから、複数の光源を表示
部の左右方向に配列させることが照明光の均一性を高めて画質の均質性を得る上で好まし
いが、このようにしたときには、複数の光源に環境温度の相違に基づく発光特性のばらつ
きが生ずると目立ちやすくなることから、本発明を適用することがきわめて効果的である
。
【発明を実施するための最良の形態】
【００１５】
次に、添付図面を参照して本発明に係る照明装置、電気光学装置及び電子機器の実施形
態について詳細に説明する。
【００１６】
[照明装置]
図１は本発明に係る第１実施形態の照明装置の構成を模式的に示す概略平面図、図２は
上記照明装置１００を含む電気光学装置９００の図１のII−IIの線と対応する部分に沿っ
た断面を模式的に示す概略縦断面図である。
【００１７】
照明装置１００は、複数（図示例では６つ）の光源１１１、１１２、１１３、１１４、
１１５、１１６と、これらの光源から放出される光を端面の一つである光入射面１２０ａ
から導入して板面の一つである光出射面１２１から出射する導光板１２０と、導光板１２
０の互いに異なる位置にそれぞれ配置された複数（図示例では二つ）の光検出器１３１、
１３２と、各光検出器１３１、１３２で得られた検出値に基づいて各光源１１１〜１１６
を制御する光源制御回路１４０とを有する。ここで、光源制御回路１４０は上述の光源制
御手段を構成する。
【００１８】
導光板１２０は、例えば、屈折率１．５程度のアクリルやポリカーボネイト等からなる
平面矩形状の板状体であり、複数（図示例では４つ）の端面１２０ａ、１２０ｂ、１２０
ｃ、１２０ｄ及び表裏２つの板面１２１、１２２を有し、端面のうちの一つである光入射
面１２０ａから導入された入射光を導光板内に伝播させながら、一方の板面である光出射
面（上面）１２１から出射させるようになっている。また、導光板１２０の他方の板面で
ある底面（下面）１２２には微細な凹凸構造やドット印刷層等の光偏向手段（図示せず）
が形成されているとともに、導光板１２０の底面１２２の下側には光反射シート１３０（
図２参照）が配置されている。この光反射シートは、導光板１２０内を伝播して底面１２
２から出射した光を反射して、再び導光板１２０内へ入射させ、最終的に光出射面１２１
から出射させるように機能する。
【００１９】
ここで、複数の光源１１１〜１１６は、導光板１２０の光入射面１２０ａに沿って直線
状に所定間隔をおいて配列されている。各光源は、赤色（Ｒ）、緑色（Ｇ）、青色（Ｂ）
の３色の異なる波長の光をそれぞれ発光する３つの発光部が１組となったものである。こ
れらのＲ発光部、Ｇ発光部、Ｂ発光部はそれぞれ与えられる電流量によって輝度が調整可
能となるように構成されており、通常、全体として白色光を発光するように設定されてい
る。各発光部は例えばＬＥＤ（発光ダイオード）等で構成できる。
【００２０】
また、複数の光検出器１３１、１３２は、それぞれ異なる波長域にある光の強度を検出
可能な複数の受光部を備えた受光面を有している。具体的には、各光検出器には、Ｒフィ
ルタを備えたＲ受光部と、Ｇフィルタを備えたＧ受光部と、Ｂフィルタを備えたＢ受光部
とが設けられており、これらの各受光部はそれぞれのフィルタ特性に応じて光のＲ成分、
Ｇ成分及びＢ成分の光強度を検出するように構成されている。各受光部はフォトトランジ
スタやフォトダイオード等で構成できる。
【００２１】
また、複数の光検出器１３１、１３２は導光板１２０の上記光入射面１２０ａ以外の面
、例えば図示例では端面１２０ｃにそれぞれ対向配置されており、導光板１２０の端面１
２０ｃから出射される光を受光し、検出するように構成されている。複数の光検出器１３
１、１３２は、導光板１２０に対する受光位置が互いに異なるように配置されている。具
体的には、光検出器１３１、１３２はいずれも導光板１２０の光入射面１２０ａの反対面
である端面１２０ｃに受光面が対向するように配置されているが、上記第１の光検出器に
相当する光検出器１３１は端面１２０ｃの幅方向（複数の光源１１１〜１１６の配列方向
）の中央部に配置され、上記第２の光検出器に相当する光検出器１３２は同幅方向の端部
に配置されている。これによって、光検出器１３１と１３２の受光位置が上記幅方向に見
て異なる位置にあるようになっている。
【００２２】
より具体的には、図１に示すように、複数の光源１１１〜１１６が光入射面１２０ａの
幅方向に一列に配列されている範囲を、列中央部にある第１発光領域１１Ｘと第２発光領
域１１Ｙとに分ける。第２発光領域１１Ｙは中央にある第１発光領域１１Ｘの左右両側に
それぞれ存在する。第１発光領域１１Ｘと第２発光領域１１Ｙにはそれぞれ複数（図示例
では二つと四つ）の光源が配置されている。第１発光領域１１Ｘは、複数の光源１１１〜
１１６を点灯させたときに光源自身の発熱によって相対的に高温になる領域であり、第２
発光領域１１Ｙは第１発光領域１１Ｘよりも相対的に低温になる領域である。各領域の温
度及び温度が定常化されるまでの時間は光源の発熱量、光源の配列間隔、光源の数などに
よって異なる。
【００２３】
一方、光入射面１２０ａの反対面である端面１２０ｃと対向する範囲を上記と同様に第
１検出領域１３Ｘと第２検出領域１３Ｙに分ける。第１検出領域１３Ｘは第１発光領域１
１Ｘの光進行側（光源１１１〜１１６の放出光が導光板１２０の内部において主に進行す
る内部伝播方向Ｆ側）に位置する領域であり、第２検出領域１３Ｙは第２発光領域１１Ｙ
の光進行側に位置する範囲である。すなわち、導光板１２０を内部伝播方向Ｆに沿った面
１２０Ｘ及び１２０Ｙで、光源の配列方向の中央部と左右の端部とに分けたとき、中央部
に属する端面１２０ｃの部分に対向する領域が第１検出領域１３Ｘであり、左右の端部に
属する端面１２０ｃの部分に対向する領域が第２検出領域１３Ｙである。ここで、第２検
出領域１３Ｙは中央にある第１検出領域１３Ｘの左右両側に配置された部分を含む。第１
検出領域１３Ｘには光検出器１３１が配置され、第２検出領域１３Ｙのうちの一方（図示
左側）には光検出器１３２が配置されている。本実施形態では発光領域ごとに一つずつの
光検出器が配置されているため、光検出器の数を低減することができ、製造コストを抑制
できる。
【００２４】
光検出器１３１は端面１２０ｃの幅方向中央部から内部伝播方向Ｆへ出射される光を計
測し、また、光検出器１３２は端面１２０ｃの幅方向端部から内部伝播方向Ｆへ出射され
る光を計測するようになっている。また、光検出器１３１の受光面は第１検出領域１３Ｘ
の幅方向中央に配置され、光検出器１３２の受光面は第２検出領域１３Ｙの幅方向中央に
配置されている。このようにすると、各発光領域に属する複数の光源の放出光をバランス
よく受光することができるため、各光源の発光態様をより高精度に制御できる。
【００２５】
光検出器１３２は列端部に配置される光源１１３〜１１６の放出光を検出できればよい
ので、上記図示例とは異なり端面１２０ｂ又は１２０ｄに対向配置させてもよい。このよ
うにしても、第２発光領域１１Ｙに配置される複数の光源１１３〜１１６の放出光を確実
に光検出器１３２によって検出できる。
【００２６】
導光板１２０に対する光検出器１３１、１３２の姿勢としては、例えば、図３（ａ）に
示すように、導光板１２０の端面１２０ｂ、１２０ｃ、１２０ｄに受光面１３１ａ、１３
２ａを向けて正対するように配置されていてもよく、また、図３（ｂ）に示すように、そ
の受光面１３１ａ、１３２ａが端面１２０ｂ、１２０ｃ、１２０ｄに対して直接に正対し
ていないが、何らかの導光部材（図示例では反射板）１６０を介して端面１２０ｂ、１２
０ｃ、１２０ｄから出射する光が受光面に入射するように設定された姿勢で設置されてい
てもよい。
【００２７】
上記の図示例では、光検出器１３１、１３２はいずれも導光板１２０の端面１２０ｃに
対向配置されているが、光出射面１２１又は底面１２２の一部に対向配置されていてもよ
い。これらの場合には、照明装置１００の照明範囲を妨げないように、光出射面１２１又
は底面１２２の外周部（後述する電気光学パネルの駆動領域から外れた部分）に光検出器
が対向配置されるように構成すればよい。
【００２８】
例えば、図３（ｃ）に示すように、光検出器１３１、１３２を導光板１２０の底面１２
２の下方に対向配置させてもよい。このとき、光検出器１３１，１３２は、その受光面１
３１ａ，１３２ａが底面１２２と対向するように上方へ向いた姿勢とされる。また、光検
出器１３１、１３２は、導光板１２０とそれを収容する枠体９１１との間に配置されるこ
とが好ましい。なお、これとは逆に、光検出器をその受光面が下を向く姿勢で光出射面１
２１上に設置してもよい。
【００２９】
また、図３（ｄ）に示すように、導光板１２０の端面部分における底部に切り欠き１２
０ｇが形成され、光検出器１３１、１３２を切り欠き１２０ｇの中に収容することにより
、図３（ｃ）の場合に比べて照明装置の厚みを低減することができる。このとき、光検出
器の受光面１３１ａ，１３２ａは、切り欠き１２０ｇの内面１２０ｇａに対向するように
設定される。なお、受光面を内面１２０ｇｂに対向するように配置することで、図３（ａ
）の場合と比べて照明装置の外形を小さく構成することが可能である。
【００３０】
図６及び図７は本実施形態とは異なる光検出器の配置態様の具体例を示す概略平面図で
ある。本実施形態では左右両側の第２検出領域１３Ｙのうち左側の部分にのみ光検出器１
３２を配置しているが、図６に示す照明装置１００′では右側の部分にも光検出器１３３
を配置している。この場合、光検出器１３２の出力に基づいて、これに対応する光源１１
３、１１４を一括して制御し、光検出器１３３の出力に基づいて、これに対応する光源１
１５、１１６を一括して制御することが好ましい。
【００３１】
また、本実施形態では光検出器１３１、１３２を光入射面１２０ａの反対面である端面
１２０ｃに共に対向するように配置しているが、本発明における光検出器の配置態様はこ
れに限定されるものではない。図７に示す照明装置１００″では、光検出器１３１″を底
面１２２に対向させて配置し、また、光検出器１３２″を側方の端面１２０ｂに対向配置
させている。さらに、もう一つの光検出器１３３″を設けて、これを側方の端面１２０ｄ
に対向配置させてある。このようにしても、温度環境の異なる光源の放出光を主として受
光する異なる光検出器が設けられているので、上記実施形態と同様の作用効果を得ること
ができる。
【００３２】
図１に示す光源制御回路１４０は、複数の光検出器１３１、１３２から出力される各検
出値に基づいて複数の光源１１１〜１１６の発光特性を制御するための制御信号若しくは
駆動信号を出力する。図示例の場合、光源制御回路１４０は、上記第１発光領域１１Ｘに
配置される光源１１１，１１２を一括して（すなわち同一の信号で）制御し、上記第２発
光領域１１Ｙに配置される光源１１３，１１４，１１５，１１６を一括して（すなわち同
一の信号で）制御するように構成されている。これによって、多数の光源を配列させてな
る場合においても、光検出器の数を低減し、しかも、制御系の構成を簡易化することがで
きるため、製造コストを低減できる。なお、図示例では全ての光源を二つの領域１１Ｘ、
１１Ｙに分けているが、高温領域、中温領域、低温領域に分けるなど、三つ以上の領域に
分けて制御しても構わない。
【００３３】
光源制御回路１４０の制御態様は、基本的に、光検出器１３１の検出値に基づいて第１
発光領域１１Ｘにある光源１１１，１１２を制御し、光検出器１３２の検出値に基づいて
第２発光領域１１Ｙにある光源１１３〜１１６を制御するというものである。この場合、
光検出器１３１、１３２の検出値と、メモリへの記録等によって保持された基準値とが比
較され、この比較結果に応じて制御信号を出力することで、検出値が基準値に近づく態様
で制御が実施される。
【００３４】
ただし、第１発光領域１１Ｘにある光源１１１，１１２に対して、光検出器１３２の検
出値を加味して制御を行ってもよく、また、第２発光領域１１Ｙにある光源１１３〜１１
６に対して、光検出器１３１の検出値を加味して制御を実施してもよい。例えば、光源１
１１，１１２に対する制御では、主として光検出器１３１の検出値に基づいて制御を行う
が、光検出器１３２の検出値を補助的に用いて制御態様を調整する。例えば、光検出器１
３１の検出値と光検出器１３２の検出値の加重平均若しくは線形和を上記基準値と比較す
る。この場合、光検出値１３１の検出値の寄与分が光検出値１３２の検出値の寄与分より
大きくなるように、上記加重平均や上記線形和の係数（重み付け）を設定すればよい。
【００３５】
この場合において、制御対象は光源１１１〜１１６の輝度と色度のいずれであってもよ
く、双方であってもよい。輝度を制御する場合には、光検出器１３１、１３２のＲ受光部
、Ｇ受光部、Ｂ受光部のそれぞれの検出値を適宜に合算して検出輝度値を求め、この検出
輝度値を上記基準値と比較した上で、比較結果に応じて光源１１１〜１１６のＲ発光部、
Ｇ発光部、Ｂ発光部をそれぞれ制御する。また、色度を制御する場合には、光検出器１３
１、１３２のＲ受光部、Ｇ受光部、Ｂ受光部のそれぞれの検出値から色度を算出し、この
色度を基準値と比較して、比較結果に応じて光源１１１〜１１６のＲ発光部、Ｇ発光部、
Ｇ発光部をそれぞれ制御する。以下、制御対象が光源の色度である場合について詳細に説
明する。
【００３６】
図４は光源の色度の制御態様を説明するための色度図である。まず、光源制御回路１４
０では、光検出器１３１が検出した光のＲＧＢ成分のそれぞれの強度Ｌ１ｒ、Ｌ１ｇ、Ｌ
１ｂから色度Ｃ１を算出する。色度Ｃ１は、適宜の表色系を用いた値とすることができる
。例えば、図４に示す色度図で用いられるＣＩＥ表色系ではｘ及びｙによって色度が表現
されるため、色度は例えばＣ１（ｘ１、ｙ１）の形で算出される。同様に、光検出器１３
２の検出値から色度Ｃ２（ｘ２、ｙ２）を算出する。そして、これら２つの色度Ｃ１、Ｃ
２をそれぞれ色度の基準値Ａと比較する。
【００３７】
上記の色度Ｃ１、Ｃ２は基準値Ａ（ｘａ、ｙａ）と比較され、その色度の差ΔＣ１（Δ
ｘ１、Δｙ１）、ΔＣ２（Δｘ２、Δｙ２）が算出される。ここで、Δｘ１＝ｘ１−ｘａ
、Δｙ１＝ｙ１−ｙａ、Δｘ２＝ｘ２−ｘａ、Δｙ２＝ｙ２−ｙａである。そして、この
色度の差ΔＣ１、ΔＣ２に基づいて、制御回路１４０から制御信号ＳＲｘ、ＳＧｘ、ＳＢ
ｘ、ＳＲｙ、ＳＧｙ、ＳＢｙが出力される。ここで、制御信号ＳＲｘ、ＳＧｘ、ＳＢｘは
、光源１１１、１１２のＲ発光部、Ｇ発光部、Ｂ発光部に送られ、制御信号ＳＲｙ、ＳＧ
ｙ、ＳＢｙは光源１１３〜１１６のＲ発光部、Ｇ発光部、Ｂ発光部に送られる。すなわち
、光源１１１〜１１６における赤色域の光を放出するＲ発光部（赤色ＬＥＤ等で構成され
る。）は上記制御信号ＳＲｘ又はＳＲｙで制御され、緑色域の光を放出するＧ発光部（緑
色ＬＥＤ等で構成される。）は上記制御信号ＳＧｘ又はＳＧｙで制御され、青色域の光を
放出するＢ発光部（青色ＬＥＤ等で構成される。）は上記制御信号ＳＢｘ又はＳＢｙで制
御される。これらの制御信号は、それぞれの発光部に与える電流値等を規定し、光源１１
１〜１１６から放出される光を上記色度の差ΔＣ１、ΔＣ２を小さくなるように調整する
。
【００３８】
例えば、図４に示すように、光源１１１〜１１６のＲ発光部の発光色（発光ピーク）を
ＣＲ、Ｇ発光部の発光色をＣＧ、Ｂ発光部の発光色をＣＢとすると、光源１１１〜１１６
はＣＲ−ＣＧ−ＣＢの三角形内の色を再現することができることとなるが、検出された色
度Ｃ１、Ｃ２と基準値Ａの差ΔＣ１、ΔＣ２に基づいて、ＣＲ、ＣＧ、ＣＢの光強度を変
えることによって、上記差ΔＣを低減するように、すなわち、検出値Ｃ１、Ｃ２を基準値
Ａに近づけるように上記制御信号が生成される。
【００３９】
なお、上記の例では、基準値Ａを一つだけ設けてあるが、例えば、色度Ｃ１と比較され
るべき第１の基準値Ａ１と、色度Ｃ２と比較されるべき第２の基準値Ａ２とを別々に設け
てもよい。この場合には、第１の基準値Ａ１と第２の基準値Ａ２はそれぞれ照明光に要求
される色度、光出射面１２１上の色度のばらつき傾向、光検出器の検出特性、光源の発光
特性等を勘案して最適化される。
【００４０】
上記光源制御手段を上記とは別の方法で光源を制御するように構成することも可能であ
る。例えば、光検出器１３１が検出した光のＲＧＢ成分の強度をＬ１ｒ、Ｌ１ｇ、Ｌ１ｂ
とし、光検出器１３２が検出する光のＲＧＢ成分の強度をＬ２ｒ、Ｌ２ｇ、Ｌ２ｂとした
とき、これらのＲＧＢ成分に対応する基準値Ａｒ，Ａｇ、Ａｂを予め設定しておく。そし
て、Ｌ１ｒとＡｒ、Ｌ１ｇとＡｇ、Ｌ１ｂとＡｂ、Ｌ２ｒとＡｒ、Ｌ２ｇとＡｇ、Ｌ２ｂ
とＡｂとをそれぞれ比較する。
【００４１】
図５には、ＲＧＢ成分ごとの光強度の基準値Ａｒ、Ａｇ、Ａｂと、光検出器１３１の検
出した光のＲＧＢ成分の強度をＬ１ｒ、Ｌ１ｇ、Ｌ１ｂとを比較して示す。この比較態様
としては、例えば、各成分における光強度の差ΔＩｒ＝Ｌ１ｒ−Ａｒ、ΔＩｇ＝Ｌ１ｇ−
Ａｇ、ΔＩｂ＝Ｌ１ｂ−Ａｂを求め、これらに応じてそれぞれＲ発光部、Ｇ発光部、Ｂ発
光部に対する制御信号ＳＲｘ、ＳＧｘ、ＳＢｘを増減させて光源１１１、１１２へ出力し
、各光源の放出光の色度を設定する。光検出器１３２の検出値についても上記と同様に比
較され、光源１１３〜１１６へ制御信号ＳＲｙ、ＳＧｙ、ＳＢｙが出力される。
【００４２】
以上説明したように、上記のいずれの方法であっても、本実施形態では、導光板１２０
の光出射面１２１から出射される照明光の色度（ホワイトバランス）をフィードバック制
御することができる。この場合、複数の光源１１１、１１２を共通の制御信号ＳＲｘ、Ｓ
Ｇｘ、ＳＢｘにより一括して制御し、複数の光源１１３〜１１６を共通の制御信号ＳＲｙ
、ＳＧｙ、ＳＢｙにより一括して制御することが、光源制御回路１４０を簡易に構成する
上で重要である。このようにしても、本実施形態の色度制御の目的は、温度環境に起因す
る光源の配列方向の発光特性のばらつきを低減することにあるので、充分な制御効果を得
ることができる。
【００４３】
なお、上記の光源制御手段は、図示しない起動スイッチを操作したり、或いは、所定の
起動信号が入力されたりしたときにのみ、上述の制御を行うように構成されていてもよく
、また、常時、所定の周期若しくはタイミングで制御を行うように構成されていてもよい
。
【００４４】
また、上記の説明では色度を制御するようにしているが、輝度を制御する場合には、上
記と同様に複数の光検出器から輝度の検出値を導入し、若しくは、ＲＧＢ成分の各検出値
から輝度の検出値を算出し、これらの輝度の検出値を輝度の基準値と比較した結果に応じ
て複数の光源を制御するようにすればよい。この場合、色度自体を変化させないように輝
度を調整することが好ましい。ただし、上述のように色度を制御しつつ、並行して輝度を
制御することも可能である。このようにすれば、照明光の色度と輝度の双方を既定値にそ
れぞれ近づけることが可能になる。
【００４５】
この第１実施形態においては、複数の光検出器１３１、１３２が複数の光源１１１〜１
１６の配列方向の温度環境が異なる第１の発光領域１１Ｘと第２の発光領域１１Ｙにそれ
ぞれ対応する第１の検出領域１３Ｘと第２の検出領域１３Ｙにそれぞれ離間して配置され
ているので、複数の光検出器１３１、１３２によって異なる温度環境下にある光源１１１
、１１２と光源１１３〜１１６の放出光に主として影響をそれぞれ受ける導光板１２０の
異なる範囲の光検出を行うことができることから、温度環境に起因する光源の発光特性の
ばらつきを低減することができ、それによって導光板１２０の光出射面１２１から出射さ
れる照明光をより均一化することができる。
【００４６】
特に、Ｒ発光部、Ｇ発光部、Ｂ発光部を含む光源１１１〜１１６は、ＲＧＢ成分の発光
特性がそれぞれ異なる温度依存性を有するため、温度環境が異なることで光源の放出光の
色度が大きく変化する。図８はＲ発光部、Ｇ発光部、Ｂ発光部をそれぞれＬＥＤで構成し
た場合における、各ＬＥＤの光強度の温度依存性を示すグラフである。図８に示すように
、赤色のＬＥＤと緑色のＬＥＤでは温度が上昇すると発光輝度が大きく低下するのに対し
て、青色のＬＥＤでは逆に温度が上昇すると発光輝度が増大する。したがって、本実施形
態では特に色度を上述のように制御することで、温度環境に起因する色度の不均一性を低
減することができる。
【００４７】
また、上記の各色のＬＥＤには経時変化による発光輝度の変化が見られ、しかも、その
変化態様も色ごとに異なる。図９はＲ発光部、Ｇ発光部、Ｂ発光部をそれぞれＬＥＤで構
成した場合における、各ＬＥＤの光強度の経時変化を示すグラフである。各発光部のＬＥ
Ｄの輝度は動作時間とともに徐々に変化が大きくなるが、特に２００時間を経過したあた
りから青色ＬＥＤの発光輝度が低下しはじめ、１０００時間を経過すると発光輝度は大き
く異なるものとなり、２０００時間を越えると発光輝度が低下しつつそれらの差は急激に
拡大していく。そして、この図９に示す経時変化のばらつきは、高温高湿の環境下ではさ
らに拡大する。
【００４８】
したがって、図８及び図９に示すように、各光源のＲ発光部、Ｇ発光部、Ｂ発光部の発
光輝度のばらつきは、光源自身の発熱に基づく温度環境の相違によって看過できない程度
に大きくなるとともに、これは動作時間の経過に伴ってさらに増幅されるため、色度の制
御はきわめて重要かつ効果的である。本実施形態では上述の態様で色度を制御することに
より、光源の配列方向に見た照明光の色度のばらつきを大幅に改善することができる。
【００４９】
［電気光学装置］
次に、図２を参照して上記照明装置１００を含む電気光学装置９００について説明する
。電気光学装置９００は、照明装置１００をバックライトとして用いるものであり、照明
装置１００の光出射面１２１上に、光拡散シート９２０と２枚のプリズムシート９３０、
９４０が配置され、その上にさらに電気光学パネル８００が配置されたものである。
【００５０】
光拡散シート９２０は、電気光学パネル８００の少なくとも駆動領域に照射される光を
均一化するためのものであり、光を散乱又は拡散させる半透明シートである。光拡散シー
ト９２０は、例えば、ポリエステルの如き透明な合成樹脂製シートに透明ビーズが混入さ
れた樹脂を塗布してなる。
【００５１】
２枚のプリズムシート９３０、９４０は、照明装置１００の光を集光して視認側の正面
輝度を増加させるためのものであり、例えば、所定方向に伸びる断面三角形状のプリズム
構造が複数ストライプ状に配列されたものである。２枚のプリズムシート９３０と９４０
はその集光方向（プリズム構造の延在方向と直交する方向）が相互に直交する姿勢となる
ように配置される。
【００５２】
電気光学パネル８００は、たとえば、透過型又は半透過型の液晶表示体で構成され、Ｔ
Ｎ（Ｔｗｉｓｔｅｄ  Ｎｅｍａｔｉｃ：ツイストネマティック）液晶、ＳＴＮ（Ｓｕｐｅ
ｒ  Ｔｗｉｓｔｅｄ  Ｎｅｍａｔｉｃ：スーパーツイストネマティック）液晶などの種々
の液晶モードを用いることができ、また、ＴＦＴ（Ｔｈｉｎ  Ｆｉｌｍ  Ｔｒａｎｓｉｓ
ｔｏｒ）やＴＦＤ（Ｔｈｉｎ  Ｆｉｌｍ  Ｄｉｏｄｅ）などをスイッチング素子として用
いるアクティブマトリクス式であっても、或いは、パッシブマトリクス式の表示体であっ
てもよい。なお、図示例及び以下の説明では電気光学パネル８００が半透過反射型の液晶
表示体で構成されることを前提とする。
【００５３】
電気光学パネル８００は、図示例の場合、シール材８１０で貼り合わされた一対のガラ
スやプラスチック等からなる基板８２０、８３０の間に液晶８４０が封入されてなるもの
である。視認側の基板８２０の外面上には偏光板８２１が貼付され、また、その内面上に
はＲＧＢの３色及びブラックマトリックスを有するカラーフィルタ８２２、保護層８２３
、画素電極８２４及び配向膜８２５が順次積層されている。一方、バックライト側の基板
８３０の外面上にも偏光板８３１が貼付され、また、その内面上には開口８３２ａを有す
る光反射層８３２、絶縁層８３３、画素電極８３４及び配向膜８３５が順次積層されてい
る。
【００５４】
電気光学パネル８００においては、一対の基板８２０、８３０にそれぞれ設けられた画
素電極８２４、８３４に電圧を印加することによって液晶８４０の配向状態が制御され、
これによって、照明装置１００からの照明光ａ、或いは、視認側から入射する外光ｂの偏
光状態に対する変調度合が変化することで、偏光板８２１，８３１の作用によってサブ画
素ＳＰＸごとに光の透過率若しくは反射率が制御されるように構成されている。
【００５５】
この電気光学装置９００においては、上記照明装置１００をバックライトとして用いる
ことにより、上述のように色度が制御された照明光ａによって色再現性の高い透過表示が
実現できる。
【００５６】
［他の実施例］
上記の説明では、カラーフィルタとして機能する着色層の色（着色領域）としてＲＧＢ
の３色を挙げて説明したが、本発明の適用はこれには限定されず、４色の着色領域により
１表示画素を構成することもできる。
【００５７】
具体的には、４色の着色領域は、波長に応じて色相が変化する可視光領域（３８０−７
８０ｎｍ）のうち、青系の色相の着色領域（「第１着色領域」とも呼ぶ。）、赤系の色相
の着色領域（「第２着色領域」とも呼ぶ。）と、青から黄までの色相の中で選択された２
種の色相の着色領域（「第３着色領域」、「第４着色領域」とも呼ぶ。）からなる。ここ
で「系」との語を用いているが、例えば青系であれば純粋の青の色相に限定されるもので
なく、青紫や青緑等を含むものである。赤系の色相であれば、赤に限定されるものでなく
橙を含む。また、これら着色領域は単一の着色層で構成されても良いし、複数の異なる色
相の着色層を重ねて構成されても良い。また、これら着色領域は色相で述べているが、当
該色相は、彩度、明度を適宜変更し、色を設定し得るものである。
【００５８】
具体的な色相の範囲は、
・青系の色相の着色領域は、青紫から青緑であり、より好ましくは藍から青である。
・赤系の色相の着色領域は、橙から赤である。
・青から黄までの色相で選択される一方の着色領域は、青から緑であり、より好ましくは
青緑から緑である。
・青から黄までの色相で選択される他方の着色領域は、緑から橙であり、より好ましくは
緑から黄である。もしくは緑から黄緑である。
【００５９】
ここで、各着色領域は、同じ色相を用いることはない。例えば、青から黄までの色相で
選択される２つの着色領域で緑系の色相を用いる場合は、他方は一方の緑に対して青系も
しくは黄緑系の色相を用いる。
【００６０】
これにより、従来のＲＧＢの着色領域よりも広範囲の色再現性を実現することができる
。
【００６１】
また、上記では４色の着色領域による広範囲の色再現性を色相で述べたが、他の具体的
な例として、着色領域を透過した光の波長で表現すると以下のようになる。
・青系の着色領域は、該着色領域を透過した光の波長のピークが４１５−５００ｎｍにあ
る着色領域、好ましくは、４３５−４８５ｎｍにある着色領域である。
・赤系の着色領域は、該着色領域を透過した光の波長のピークが６００ｎｍ以上にある着
色領域で、好ましくは、６０５ｎｍ以上にある着色領域である。
・青から黄までの色相で選択される一方の着色領域は、該着色領域を透過した光の波長の
ピークが４８５−５３５ｎｍにある着色領域で、好ましくは、４９５−５２０ｎｍにある
着色領域である。
・青から黄までの色相で選択される他方の着色領域は、該着色領域を透過した光の波長の
ピークが５００−５９０ｎｍにある着色領域、好ましくは５１０−５８５ｎｍにある着色
領域、もしくは５３０−５６５ｎｍにある着色領域である。
【００６２】
この波長は、透過表示の場合は、照明装置からの照明光がカラーフィルタを通して得ら
れた数値である。反射表示の場合は、外光を反射して得られた数値である。
【００６３】
他の具体的な例として、４色の着色領域をｘ、ｙ色度図で表現すると以下のようになる
。
・青系の着色領域は、ｘ≦0.151、ｙ≦0.200にある着色領域であり、好ましくは、0.134
≦ｘ≦0.151、0.034≦ｙ≦0.200にある着色領域である。
・赤系の着色領域は、0.520≦ｘ、ｙ≦0.360にある着色領域であり、好ましくは、0.550
≦ｘ≦0.690、0.210≦ｙ≦0.360にある着色領域である。
・青から黄までの色相で選択される一方の着色領域は、ｘ≦0.200、0.210≦ｙにある着色
領域であり、好ましくは、0.080≦ｘ≦0.200、0.210≦ｙ≦0.759にある着色領域である。
・青から黄までの色相で選択される他方の着色領域は、0.257≦ｘ、0.450≦ｙにある着色
領域であり、好ましくは、0.257≦ｘ≦0.520、0.450≦ｙ≦0.720にある着色領域である。
【００６４】
このｘ、ｙ色度図は、透過表示の場合は、照明装置からの照明光がカラーフィルタを通
して得られた数値である。反射表示の場合は、外光を反射して得られた数値である。
【００６５】
これら４色の着色領域は、サブ画素に透過領域と反射領域を備えた場合、透過領域及び
反射領域も上述した範囲で適用することができるものである。
【００６６】
上記の４色の着色領域の構成の例としては、具体的には以下のものがあげられる。
・色相が、赤、青、緑、青緑の着色領域
・色相が、赤、青、緑、黄の着色領域
・色相が、赤、青、深緑、黄の着色領域
・色相が、赤、青、エメラルド、黄の着色領域
・色相が、赤、青、深緑、黄緑の着色領域
・色相が、赤、青緑、深緑、黄緑の着色領域
【００６７】
次に、上記の４色の着色領域を含むカラーフィルタを備えた電気光学装置の構造の一例
を図１０及び図１１を参照して説明する。この電気光学装置においては、上記各実施形態
と同様に構成された照明装置１０を有し、この照明装置１０には、導光板１１、反射板１
２、ＬＥＤ等からなる光源１３、光反射シート１６が含まれ、導光板１１には光入射面１
１ｃ、光出射面１１ａ及び底面１１ｂが設けられている。導光板１１の上方には光拡散板
１４、プリズムシート１５ａ，１５ｂからなる集光板１５が配置される。集光板１５上に
は、ガラスやプラスチック等からなる透明な基体１と２をシール材５で貼り合わせてなり
、基板間に液晶４が封入されてなるセル構造を有する電気光学パネル３０が配置される。
なお、本実施形態においては、上記各実施形態のいずれかの検出手段及び制御手段を含む
構成が採用されているので、これらの構成については図示及び説明を省略する。
【００６８】
基板９１においては、表示領域Ｖ内において上記基体１上にＴＦＴ（薄膜トランジスタ
）等のスイッチング素子３７が形成されているとともに、このスイッチング素子３７に導
電接続されたＩＴＯ等の透明導電材料からなる画素電極３４が形成されている。また、基
板９２においては、表示領域Ｖ内において上記基体２上に４色の着色領域６Ｒ（赤）、６
Ｇ１（緑系１）、６Ｂ（青）、６Ｇ２（緑系２）を配列させてなるカラーフィルタが形成
され、この上に透明保護膜を介してＩＴＯ等の透明導電体よりなる共通電極８が形成され
ている。表示領域Ｖ内には上記画素電極３４と共通電極８とによって挟まれた液晶４で構
成され、いずれか一つの上記着色領域が配置されてなるサブ画素ＳＧが縦横にマトリクス
状に配列されている。本実施形態では、緑系の着色領域がＧ１とＧ２の２種類からなり、
例えば、緑と青緑などの２色を含む。なお、４色の組み合わせとしては、上述のいずれの
組み合わせを用いてもよい。
【００６９】
図示例の場合、サブ画素ＳＧが４つ集まって一つの画素ＡＧを構成し、画素ＡＧごとに
一つの色が表現される。この画素ＡＧ内には、上記４つの着色領域が規則的に配列されて
いる。そして、画素ＡＧがさらにマトリクス状に配列されることによって上記表示領域Ｖ
が形成されている。表示領域Ｖ内の個々の画素ＡＧが所定の色調を表現することで、表示
領域Ｖには任意の画像が表示される。
【００７０】
基板９１には基板９２の外形より外側に張り出してなる基板張出部３１が設けられ、こ
の基板張出部３１上に、上記スイッチング素子３７のソースに導電接続されるソース配線
３２と、上記スイッチング素子３７のゲートに導電接続されるゲート配線３３と、上記共
通電極８に対して導電接続部Ｅ１を介して導電接続される共通配線３６とがそれぞれ引き
出され、基板張出部３１上に実装されてなるドライバＩＣ４０のゲート出力端子Ｇ１、・
・・、Ｇｍ、ソース出力端子Ｓ１、・・・、Ｓｎ、共通出力端子ＣＯＭにそれぞれ導電接
続されている。また、ドライバＩＣ４０は基板張出部３１上に設けられた入力端子３５を
介してＦＰＣ４１に導電接続されている。
【００７１】
[電子機器]
最後に、上記照明装置を含む電気光学装置を搭載した電子機器について説明する。図１
２は、本発明に係る電子機器の一実施形態であるノートパソコンの外観を示す。このノー
トパソコン１０００は、操作部１００１と、表示部１００２とを有し、表示部１００２の
内部に照明装置１００が含まれる電気光学装置９００が配置されている。ここで、照明装
置１００は電気光学パネル８００のバックライトとして用いられており、表示部１００２
の表面において電気光学パネル８００の表示画面を視認できるように構成されている。
【００７２】
また、図１３は、別の電子機器の一実施形態である携帯電話機の外観を示す。この携帯
電話機２０００は、操作部２００１と、表示部２００２とを有し、表示部２００２の内部
に照明装置１００が含まれる電気光学装置９００が配置されている。ここでも照明装置１
００は電気光学パネル８００のバックライトとして用いられており、表示部２００２の表
面において電気光学パネル８００の表示画面を視認できるように構成されている。
【００７３】
尚、本発明は、上述の図示例にのみ限定されるものではなく、本発明の要旨を逸脱しな
い範囲内において種々変更を加え得ることは勿論である。例えば、上記電気光学装置９０
０は液晶表示体で構成される電気光学パネルを用いるものであるが、透過表示が可能な他
の電気光学表示体を用いても構わない。また、上記照明装置１００は電気光学パネル８０
０のバックライトとして用いられるが、フロントライトとして用いるように構成されたも
のでも構わない。
【図面の簡単な説明】
【００７４】
【図１】本発明に係る第１実施形態の照明装置の平面配置を模式的に示す概略平面図。
【図２】第１実施形態の照明装置をバックライトとして適用した電気光学装置の図１のII−IIの線に沿った断面で模式的に示す概略縦断面図。
【図３】導光板と光検出器との位置関係を模式的に示す拡大部分断面図（ａ）〜（ｄ）。
【図４】制御方法を説明するための色度図。
【図５】検出光のＲＧＢ成分ごとの強度及びこれに対応する基準値を示すグラフ。
【図６】異なる照明装置の平面配置を模式的に示す概略平面図。
【図７】さらに異なる照明装置の平面配置を模式的に示す概略平面図。
【図８】ＲＧＢの各色ＬＥＤの発光強度の温度依存性を示すグラフ。
【図９】ＲＧＢの各色ＬＥＤの発光強度の経時変化を示すグラフ。
【図１０】４色フィルタを用いた電気光学装置の概略平面図。
【図１１】４色フィルタを用いた電気光学装置の概略断面図。
【図１２】本発明に係る電子機器の一実施形態であるノートパソコンの外観を示す概略斜視図。
【図１３】別の電子機器の実施形態である携帯電話機の外観を示す概略斜視図。
【符号の説明】
【００７５】
１００、１００′、１００″…照明装置、１１１、１１２、１１３、１１４、１１５、１
１６…光源、１２０…導光板、１２０ａ…光入射面、１２０ｂ、１２０ｃ、１２０ｄ…端
面、１３０…光反射シート、１３１、１３２、１３３、１３１″、１３２″、１３１″…
光検出器、１３１ａ、１３２ａ…受光面、１４０…光源制御回路、１６０…光反射部材、
８００…電気光学パネル、８１０…シール材、８２０、８３０…基板、８２１、８３１…
偏光板、８２２…カラーフィルタ、８２３…保護層、８２４、８３４…画素電極、８２５
、８３５…配向膜、８３２…光反射層、８３２ａ…開口、８３３…絶縁層、８４０…液晶
、９００…電気光学装置、９１１…枠体、９２０…光拡散シート、９３０、９４０…プリ
ズムシート、１０００…ノートパソコン、１００１、２００１…操作部、１００２、２０
０２…表示部、２０００…携帯電話機
【図１】
2007317479.tif 000003
【図２】
2007317479.tif 000004
【図３】
2007317479.tif 000005
【図４】
2007317479.tif 000006
【図５】
2007317479.tif 000007
【図６】
2007317479.tif 000008
【図７】
2007317479.tif 000009
【図８】
2007317479.tif 000010
【図９】
2007317479.tif 000011
【図１０】
2007317479.tif 000012
【図１１】
2007317479.tif 000013
【図１２】
2007317479.tif 000014
【図１３】
2007317479.tif 000015